(57)【特許請求の範囲】
【請求項１】
前面パネルに設けられて文字表示を行う表示装置がディスク挿入口の下側に配置されたディスクチェンジャー装置において、
前記ディスク挿入口の近傍に配置されて前記ディスクを挿入するときに押すロードボタンと、前記ディスク挿入口の中央上部に配置され前記ロードボタンが押されて点灯または点滅してディスク挿入許可またはディスク挿入不許可を示すインジケータランプとを備えたディスクチェンジャー装置。
【請求項２】
複数のディスクをそれぞれ収容する複数のトレイと、前記トレイを上下移動させるエレベータ手段と、ディスクの挿入および排出を行うローディング手段とを備え、前記ロードボタンを押してから前記エレベータ手段が前記トレイを前記ローディング手段の高さ位置に移動させるまでの間、前記インジケータランプが動作する請求項１記載のディスクチェンジャー装置。
【請求項３】
複数のディスクをそれぞれ収容する複数のトレイと、前記トレイを上下移動させるエレベータ手段と、ディスクの挿入および排出を行うローディング手段とを備え、前記ロードボタンを押して前記エレベータ手段が前記トレイを移動させて前記トレイがローディング手段の高さ位置に到達すると、前記インジケータランプが一定時間動作する請求項１記載のディスクチェンジャー装置。
【請求項４】
前記インジケータランプが、前記ロードボタンを押した後、ディスク挿入不許可を示す赤色に点滅し、次いで一定時間ディスク挿入許可を示す緑色に点灯し、次いでディスク挿入不許可を示す赤色に点滅してオフすることを特徴とする請求項１記載のディスクチェンジャー装置。
【請求項５】
請求項１から４のいずれかに記載のディスクチェンジャー装置を備えた車載用オーディオ装置。
【発明の詳細な説明】
【０００１】
【発明の属する技術分野】
本発明は、ＣＤやＭＤなどのディスクを複数枚収納し、選択して再生することができるディスクチェンジャー装置、およびこのディスクチェンジャー装置を備えた車載用オーディオ装置に関する。
【０００２】
【従来の技術】
従来、この種のディスクチェンジャー装置は、図２に示すように、ディスク１０１をそれぞれ収容する複数枚のトレイ１０２が垂直方向に積層され、隣接するトレイ１０２とトレイ１０２との間が、図示されないトレイ選択手段により拡開され、その間に再生手段１０３が入り込んで、そのターンテーブル上にディスク１０１を保持して再生を行う。また、ディスク１０２の挿入および排出は、ローディング手段１０４が行う。ディスクを挿入する場合は、図３に示すように、前面パネル１０５に設けられたロードボタン１０６を押すことにより、装置内のエレベータ手段が、ディスクを収容していない空いているトレイ１０２を、ローディング手段１０４の高さ位置まで移動させるので、ディスク挿入口１０７からディスクを挿入することができる。この間、前面パネル１０５に設けられた液晶表示装置１０８には、ディスクが挿入できる状態であることを示す「ＬＯＡＤ」の文字が表示されるとともに、ディスク挿入口１０７の両側に設けられたインジケータランプ１０９が点滅して、同様にディスクが挿入できる状態であることを示している。ディスクをディスク挿入口１０７から挿入すると、ローディング手段１０４がディスクを装置内に搬送して、待機しているトレイ１０２内に収容する。全てのトレイ１０２が空いている場合には、一番下のトレイ１０２から上方へ順番にディスクが収容される。ディスクを排出する場合には、液晶表示装置１０８に排出しようとするディスクの番号を表示させ、その状態でイジェクトボタン１１０を押すと、装置内のエレベータ手段がそのディスクを保持したトレイをローディング手段１０４の位置まで移動させ、ローディング手段１０４によりディスク挿入口１０７から排出する。
【０００３】
【発明が解決しようとする課題】
しかしながら、上記従来のディスクチェンジャー装置が車載用オーディオ装置に組み込まれている場合、図４に示すように、ディスク挿入口１０７が液晶表示装置１０８の上部に配置されている場合には問題が生じる。すなわち、一般に車載用オーディオ装置は、ステアリングハンドルよりも下のダッシュボードに配置されているので、運転席に座っている乗員が車内でディスクの交換を行う場合は、片手でディスクを持ってその手でロードボタンを操作することが多く、手に持っているディスクの陰になって液晶表示装置の「ＬＯＡＤ」表示やインジケータランプの点灯が見えないことがある。「ＬＯＡＤ」表示は、エレベータ手段が、空いているトレイをローディング手段の位置まで移動させた後、一定時間例えば１５秒間だけ表示されるので、「ＬＯＡＤ」表示がされていない間はディスクを挿入することができない。したがって、操作者は、「ＬＯＡＤ」表示を確認してからディスクを挿入するので、「ＬＯＡＤ」表示が見えにくいと、ディスクを挿入するタイミングを逸してしまい、再度同じ操作をしなければならないという問題があった。
【０００４】
本発明は、このような従来の問題を解決するものであり、前面パネルに設けられた表示装置がディスク挿入口の下側に配置されたディスクチェンジャー装置において、ディスク挿入のタイミングを分かりやすく表示することのできるディスクチェンジャー装置および車載用オーディオ装置を提供するものである。
【０００５】
【課題を解決するための手段】
上記課題を解決するために、本発明のディスクチェンジャー装置は、前面パネルに設けられて文字表示を行う表示装置がディスク挿入口の下側に配置されたディスクチェンジャー装置において、前記ディスク挿入口の近傍に配置されて前記ディスクを挿入するときに押すロードボタンと、前記ディスク挿入口の中央上部に配置され前記ロードボタンが押されて点灯または点滅してディスク挿入許可またはディスク挿入不許可を示すインジケータランプとを備えた構成を有している。この構成により、ディスクを片手で持ってその手でロードボタンを操作する場合でも、インジケータランプがディスク挿入口の中央上部に配置されているので、ディスクによってインジケータランプが隠されることがなく、インジケータランプによってディスク挿入タイミングを確実に認識できることとなる。
【０００６】
また、本発明によるディスクチェンジャー装置は、複数のディスクをそれぞれ収容する複数のトレイと、前記トレイを上下移動させるエレベータ手段と、ディスクの挿入および排出を行うローディング手段とを備え、前記ロードボタンを押してから前記エレベータ手段が前記トレイを前記ローディング手段の高さ位置に移動させるまでの間、前記インジケータランプが動作するものである。
【０００７】
また、本発明によるディスクチェンジャー装置は、複数のディスクをそれぞれ収容する複数のトレイと、前記トレイを上下移動させるエレベータ手段と、ディスクの挿入および排出を行うローディング手段とを備え、前記ロードボタンを押して前記エレベータ手段が前記トレイを移動させて前記トレイがローディング手段の高さ位置に到達すると、前記インジケータランプが一定時間動作するものである。
【０００８】
また、本発明によるディスクチェンジャー装置は、前記インジケータランプが、前記ロードボタンを押した後、ディスク挿入不許可を示す赤色に点滅し、次いで一定時間ディスク挿入許可を示す緑色に点灯し、次いでディスク挿入不許可を示す赤色に点滅してオフすることを特徴とするものであり、インジケータランプの点灯状態によって、ディスク挿入タイミングを確実に把握できることとなる。
【０００９】
また、本発明は、上記したディスクチェンジャー装置を備えた車載用オーディオ装置であり、操作性および使い勝手のよい車載用オーディオ装置を実現できることとなる。
【００１０】
【発明の実施の形態】
以下、本発明の実施の形態を図面を参照して説明する。図１は本発明の実施の形態における車載用オーディオ装置の正面図を示しており、前面パネル１の上部には、ディスクチェンジャー装置のディスク挿入口２が設けられ、その中央上部にインジケータランプ３が設けられ、ディスク挿入口２の左端にロードボタン４が配置され、ディスク挿入口２の右端にイジェクトボタン５が配置されている。また、ディスク挿入口２の下側には種々の表示を行う液晶表示装置６が配置され、その下側にはカセット挿入口７が配置され、その下側にはＦＭ放送またはＡＭ放送を選局するためのラジオ選局ボタン８、ディスクチェンジャー装置でＣＤを再生するためのＣＤ選択ボタン９、カセットテープを再生するためのテープ選択ボタン１０、再生前にＣＤを選択し、再生中には曲をスキップするためのシーク／スキップボタン１１などが配置されている。
【００１１】
ディスクチェンジャー装置自体の構成は、例えば図３に示したような従来例と同様であり、操作手順も同様である。したがって、ディスクを挿入する場合は、まずロードボタン４を押すと、装置内のエレベータ手段が、ディスクを収容していない空いているトレイを、ローディング手段の高さ位置まで移動させる。その間は、インジケータランプ３がディスク挿入不許可を示す赤色に点滅しており、トレイがローディング手段の高さ位置に到達すると、インジケータランプ３は、今度は一定時間、例えば１５秒間程度、ディスク挿入許可を示す緑色に連続点灯し、１５秒経過後にはディスク挿入不許可を示す赤色に点滅してオフする。したがって、インジケータランプ３が緑色に点灯している間に、ディスク挿入口２からディスクを挿入する。そして、インジケータランプ３が緑色に点灯している間、液晶表示装置６には、ディスクが挿入できる状態であることを示す「ＬＯＡＤ」の文字が表示される。ディスクを排出する場合には、液晶表示装置６にシーク／スキップボタン１１により排出しようとするディスクの番号を表示させ、その状態でイジェクトボタン５を押すことにより、装置内のエレベータ手段がそのディスクを保持したトレイをローディング手段の位置まで移動させ、ローディング手段によりディスク挿入口２から排出する。
【００１２】
このように、本実施の形態によれば、インジケータランプ３をディスク挿入口２の中央上部に配置して見やすくするとともに、ロードボタン４が押されてディスク挿入可能状態になった場合には、インジケータランプ３を赤色点滅から緑色連続点灯に変化させ、さらに液晶表示装置６に「ＬＯＡＤ」の文字を表示するので、ディスクを挿入するタイミングを的確に把握することができる。また、ディスク挿入口２の両側にロードボタン４およびイジェクトボタン５を配置したので、操作性を向上させることができる。
【００１３】
【発明の効果】
以上説明したように、本発明のディスクチェンジャー装置は、ディスクを挿入するために装置の前面パネルに配置されたディスク挿入口と、前記ディスク挿入口の近傍に配置されて前記ディスクを挿入するときに押すロードボタンと、前記ディスク挿入口の中央上部に配置されてディスク挿入許可を表示するインジケータランプと、前記ディスク挿入口の下部に配置されてディスク挿入許可を含む表示を行う表示装置とを備えているので、ディスクを片手で持ってその手でロードボタンを操作する場合でも、ディスクによってインジケータランプが隠されることがなく、インジケータランプによってディスク挿入タイミングを確実に認識することができ、使い勝手を一段と向上させることができる。
【図面の簡単な説明】
【図１】本発明の実施の形態における車載用オーディオ装置の正面図
【図２】従来のディスクチェンジャー装置の概略構成を示す断面図
【図３】従来の車載用オーディオ装置の正面図
【符号の説明】
１  前面パネル
２  ディスク挿入口
３  インジケータランプ
４  ロードボタン
５  イジェクトボタン
６  液晶表示装置
７  カセット挿入口
８  ラジオ選局ボタン
９  ＣＤ選択ボタン
１０  テープ選択ボタン
１１  シーク／スキップボタン
【図１】
0004093702.tif 000002
【図２】
0004093702.tif 000003
【図３】
0004093702.tif 000004